(57)【要約】【課題】設置場所を選ばず、かつ省スペースで、家庭での使用も可能な灌注浴装置を提供する【解決手段】仰臥した人を支持する仰臥部２０と、前記仰臥部２０を収納するシャワー室Ｓと、前記仰臥部２０上の人Ｍに向って湯を噴出する複数のノズル１５とを備え、前記シャワー室Ｓが、水を受ける受槽１３と、該受槽１３に対し回動する回動蓋１１，１２とで形成された灌注浴装置１に関する。前記回動蓋１１，１２を開いた際に、前記仰臥部２０の上面の全面が天に向って露出すると共に、当該回動蓋１１，１２が前記仰臥部２０の下方に潜り込むように回転して、前記回動蓋１１，１２が開いた状態になる。【選択図】　　　　図１
2004097585.tif 000002
【特許請求の範囲】
【請求項１】
水が上下に通過する多数の孔を有し、かつ、仰臥した人を支持する仰臥部と、前記仰臥部を収納するシャワー室と、前記仰臥部上の人に向って湯を噴出する複数のノズルとを備え、
前記シャワー室が、水を受ける受槽と、該受槽に対し回動する回動蓋とで形成された灌注浴装置において、
前記回動蓋を開いた際に、前記仰臥部の上面の全面が天に向って露出すると共に、
前記回動蓋の回動中心の軸線が前記仰臥部の長手方向の中心に沿って設定されていることで、当該回動蓋が前記仰臥部の下方に潜り込むように回転して、前記回動蓋が開いた状態になる灌注浴装置。
【請求項２】
請求項１において、
前記回動蓋が開く際に、前記回動蓋が前記仰臥部の下方に潜り込むと共に、前記回動蓋が受槽の内側に沿って当該受槽の内側に収納されるように入り込む灌注浴装置。
【請求項３】
請求項１もしくは２において、
前記回動蓋が前記仰臥部の長手方向に対し左右に分割して設けられ、該分割された回動蓋の各々が受槽に対し回動可能であり、
前記仰臥部が取り外し可能に設けられている灌注浴装置。
【請求項４】
請求項１、２もしくは３において、
前記回動蓋の回動中心に第１カプラが設けられ、
前記第１カプラにおける受槽の外側の外部接続端には、給湯ホースが接続可能であり、
前記第１カプラにおける受槽の内側の内部接続端には、第１の給湯管が、前記回動中心の軸線のまわりに回転自在に接続され、
前記第１給湯管には複数の第１ノズルが連通しており、複数の第１ノズルが前記回動蓋の内側に設けられた灌注浴装置。
【請求項５】
請求項４において、
前記第１カプラから前記第１給湯管に至る第１給湯経路には、当該第１給湯経路を開閉する開閉弁が設けられ、
前記回動蓋のうちの少なくとも一方の回動蓋の回動により、前記開閉弁が開閉し、
前記回動蓋を閉じると前記開閉弁が開いて給湯が可能となり、前記回動蓋を開くと、前記開閉弁が閉じて前記第１給湯経路への給湯が停止するようにした灌注浴装置。
【請求項６】
請求項４もしくは５において、
前記第１カプラには前記第１給湯経路とは別の第２の給湯経路を構成する第２の給湯管が接続され、
前記第２給湯経路には減圧弁が設けられ、かつ、前記第２給湯経路は前記仰臥部の下を通るように配設され、
前記第２給湯経路が、前記仰臥部の下方に設けられた複数の第２ノズルに連通して、仰臥部の下からも湯を噴出すると共に、第２ノズルからの噴出圧が第１ノズルからの噴出圧よりも小さな値に設定されている灌注浴装置。
【請求項７】
請求項４、５または６のいずれか１項において、
前記第１給湯管の端部に第２カプラを設けた灌注浴装置。
【請求項８】
請求項１ないし８のいずれか１項において、
前記受槽を支持すると共に、前記受槽を貫通して受槽の内側に突出する脚部を設け、
前記脚部の上端に前記仰臥部が載置されている灌注浴装置。
【発明の詳細な説明】
【０００１】
【発明の属する技術分野】
本発明は灌注浴装置に関するものである。
【０００２】
【従来の技術】
入浴はかなりの運動量を要するため、年配者には相当な体力的負担になる。特に、寝たきりの被介護者を入浴させると耐力の消耗が著しい。
そこで、被介護者が仰臥したまま入浴し得るシャワーバスが提案されている（たとえば、特許文献１参照）。
図９に示すように、かかる従来のシャワーバス（灌注浴装置）１００は、一方の蓋１０１が他方の蓋１０２の内側に格納される。被介護者は、ストレッチャー１０５に仰臥したまま、シャワーバス１００内に運ばれる。
【０００３】
【特許文献１】
実開平５−９５５３３号公報　（第５−１１頁、第２図）
【０００４】
【発明が解決しようとする課題】
しかし、被介護者の搬入は、一方の蓋１０１を開いた片側のみから行われるため、シャワーバス１００の設置レイアウトに融通がきかない。また、被介護者をストレッチャー１０５ごとシャワー室内に入れるため、シャワーバス１００が大型化し、家庭で使用するのが難しい。
【０００５】
したがって、本発明の目的は、設置場所を選ばず、かつコンパクトで、家庭での使用も可能な灌注浴装置を提供することである。
【０００６】
【課題を解決するための手段】
前記目的を達成するために、本発明の灌注浴装置は、水が上下に通過する多数の孔を有し、かつ、仰臥した人を支持する仰臥部と、前記仰臥部を収納するシャワー室と、前記仰臥部上の人に向って湯を噴出する複数のノズルとを備え、前記シャワー室が、水を受ける受槽と、該受槽に対し回動する回動蓋とで形成された灌注浴装置において、前記回動蓋を開いた際に、前記仰臥部の上面の全面が天に向って露出すると共に、前記回動蓋の回動中心の軸線が前記仰臥部の長手方向の中心に沿って設定されていることで、当該回動蓋が前記仰臥部の下方に潜り込むように回転して、前記回動蓋が開いた状態になる。
【０００７】
本発明によれば、仰臥部の左右どちらからでも入浴者（被介護者）を移載可能である。そのため、設置場所のレイアウトに拘わらず本装置を被介護者のベッドの横に並べて設置することができる。したがって、ベッドに仰臥部を横付けして入浴者を移載できるから、移載時の介助者の負担を軽減することができる。その結果、ホームヘルパーや女性など非力な人でも入浴介助を行うことができる。
また、ストレッチャー等を内部に収容しないので、灌注浴装置の構造をコンパクトにすることができる。そのため、設置スペースが小さくなるから、家庭での使用も可能である。
【０００８】
なお、前記回動蓋が開く際に、前記回動蓋が前記仰臥部の下方に潜り込むと共に、前記回動蓋が受槽の内側に沿って当該受槽の内側に収納されるようにしてもよい。かかる場合には、装置の側方に開いた蓋のための空間を設ける必要がないので、省スペースの効果を奏する。したがって、一般家庭にも設置しやすい。また、シャワー後に蓋を開けた際に、蓋の内側の面からの水垂れを防止できる。
【０００９】
また、前記回動蓋を前記仰臥部の長手方向に対し左右に分割して設け、該分割された回動蓋の各々が受槽に対し回動可能にしてもよい。また、前記仰臥部を取り外し可能に設けてもよい。仰臥部を取り外し、一方の回動蓋を閉、他方の回動蓋を開とすることで、当該開いた回動蓋に対応する受槽の内面部分を２回に分けて清掃することが可能となる。したがって、シャワー室内を常に清潔に保つことができると共に、仰臥部をシャワー室外で清掃・乾燥することができる。
【００１０】
さらに、前記回動蓋の回動中心に第１カプラを設けてもよい。前記第１カプラにおける受槽の外側の外部接続端には給湯ホースを接続する。一方、前記第１カプラにおける受槽の内側の内部接続端には、第１の給湯管を前記回動中心の軸線のまわりに回転自在に接続する。前記第１給湯管には複数の第１ノズルが連通しており、複数の第１ノズルを前記回動蓋の内側に設ける。
かかる場合には、回動蓋の回転軸から給湯を行うので、給湯経路の取りまわしがシンプルになる。また、上側のノズルを回動蓋の内側の面に設けたので、入浴者を仰臥部の上方から移載することができる。
【００１１】
また、前記第１カプラから前記第１給湯管に至る第１給湯経路に、当該第１給湯経路を開閉する開閉弁を設けてもよい。前記回動蓋のうちの少なくとも一方の回動蓋の回動により、前記開閉弁が開閉する。前記回動蓋を閉じると前記開閉弁が開いて給湯が可能となり、前記回動蓋を開くと前記開閉弁が閉じて前記第１給湯経路への給湯が停止する。
したがって、回動蓋が開いた時には、シャワーが出ないので、装置外部への湯の飛散を防止することができる。
【００１２】
また、前記第１カプラに前記第１給湯経路とは別の第２の給湯経路を構成する第２の給湯管を接続してもよい。前記第２給湯経路には減圧弁を設け、かつ、前記第２給湯経路を前記仰臥部の下を通るように配設する。前記第２給湯経路が、前記仰臥部の下方に設けられた複数の第２ノズルに連通して、仰臥部の下からも湯を噴出する。
減圧弁により湯の噴出量を少なくすれば、回動蓋を開いた状態で湯を噴出させても湯が飛散しない。そのため、回動蓋を開いて仰臥部の下からシャワーを出した状態で、介助者が入浴者の局部等を洗うことができる。
【００１３】
また、前記第１給湯経路の端部を前記仰臥部の頭側の端部まで延長し、前記第１給湯経路の端部に第２カプラを設けてもよい。かかる場合には、第２カプラに、たとえば、ハンドシャワーなどを接続して、入浴者の頭部を容易にシャンプー洗浄することができる。
【００１４】
また、前記受槽を支持すると共に、前記受槽を貫通して受槽の内側に突出する脚部を設けてもよい。前記脚部の上端に前記仰臥部を載置すれば、受槽に仰臥部の重量が負荷されないから、受槽を強度の小さい素材で形成することができる。したがって、受槽の軽量化およびコストダウンが可能である。
【００１５】
【発明の実施の形態】
以下、本発明の一実施形態を図面にしたがって説明する。
全体構成：
図１に示すように、本発明の灌注浴装置１は、被介護者Ｍを仰臥したまま入浴させるための装置である。図３の側面断面図に示すように、前記灌注浴装置１は、仰臥部２０、該仰臥部２０を収納するシャワー室Ｓ（図３（ｂ），（ｃ））および湯を噴出する複数のノズル１５，２５（図３）を備えている。
【００１６】
図１（ｂ）に示すように、前記シャワー室Ｓは、湯を受ける受槽１３と、該受槽１３に対し回動する回動蓋１１（１１ａ，１１ｂ），１２により、円筒形に形成されている。
図１（ａ）に示すように、前記仰臥部２０は、前記受槽１３内に設けられている。前記回動蓋１１，１２は、仰臥部２０の長手方向Ｙに対し、左右に分割されている。前記回動蓋１１，１２を、図１（ｂ）の全閉状態からそれぞれ開き、図１（ａ）のように、仰臥部２０の上面の全面を天に向って露出させることが可能である。
【００１７】
回動蓋１１，１２：
図１（ｂ）の前記回動蓋１１，１２は、前記長手方向Ｙに対しても分割されており、それぞれ一対の第１回動蓋１１ａ，１１ｂと、第２回動蓋１２，１２により構成されている。
前記第１回動蓋１１ａ，１１ｂの回転中心には、後述する第１カプラ３０が設けられている。第１回動蓋１１ａ，１１ｂは、第１カプラ３０を中心に、受槽１３の内面にガイドされて、それぞれ回動することが可能である。
一方、前記第２回動蓋１２，１２の回転中心には、図１（ａ）の回転軸８が設けられている。第２回動蓋１２，１２は、回転軸８を中心に、受槽１３の内面にガイドされて、それぞれ回動することが可能である。
【００１８】
前記回動蓋１１，１２の回動中心の軸線ＡＬは、前記仰臥部２０の長手方向Ｙの中心に沿って設定されている。そのため、図４の正面断面図に示すように、図４（ｂ）の回動蓋１１（１２）が、前記仰臥部２０の下方に潜り込むように回転して、図４（ａ）に示すように、回動蓋１１（１２）が開いた状態になる。その際、前記回動蓋１１，１２が受槽１３の内側に沿って当該受槽１３の内側に収納される。
したがって、前記回動蓋１１，１２は、図１（ａ），図３（ａ）に示す全開状態から、図２，図３（ｂ）に示す第１回動蓋１１のみを閉じた半閉状態や、図１（ｂ），図３（ｃ）に示す両回動蓋１１，１２を閉じた全閉状態などに設定することができる。
なお、前記回動蓋１１，１２および受槽１３には固定具１７，１８が設けられており、前記回動蓋１１，１２を、それぞれ、前記全開状態や半閉状態、全閉状態に固定することができる。
また、前記回動蓋１１，１２には、該回動蓋１１，１２に対してスライド開閉可能な窓１９が設けられている。
【００１９】
仰臥部２０：
図４（ａ），（ｂ）に示すように、前記受槽１３には、下方から受槽１３を貫通し、該受槽１３の内側に突出する脚部２１が設けられている。受槽１３は脚部２１に固定されており、脚部２１と受槽１３との接合部には、シールが施されている。前記仰臥部２０は脚部２１の上端に載置されている。したがって、受槽１３には仰臥部２０の重量が負荷されないので、受槽１３の計量化およびコストダウンを図り得る。
前記仰臥部２０には、湯が上下に通過する多数の孔が設けられている。仰臥部２０には、たとえば、パンチングメタルや金属ないし樹脂性の網等を採用することができる。仰臥部２０は、上方に持ち上げることで、図８に示すように、脚部２１から取り外すことが可能である。
【００２０】
図４に示す前記受槽１３の下端部には排出孔１３ａが穿孔されており、該排出孔１３ａには排出ホース４が接続されている。一方、図３に示すように、受槽１３は、前記長手方向Ｙにおいて、前記排出ホース４側に向って傾斜している。したがって、図４に示すように、受槽１３内に流れ込んだ湯は、該受槽１３に穿孔された排出孔１３ａ（図４）を通り、前記排出ホース４から排出される。なお、前記排出ホース４には、排出ポンプ４６（図５）が接続されている。
【００２１】
給湯経路：
本装置１は、たとえば、病院や家庭などで使用することができるが、以下の説明では、家庭で使用する場合を例示して説明する。かかる場合には、給湯器などを用いる代わりに、図７（ａ）に示すように、風呂桶４１内の湯を使用してもよい。風呂桶４１内の湯を用いることにより、安定した温度の湯を供給することができると共に、ガスの配管などが不要になり、より安価に本装置を製造することができる。
【００２２】
図５に示すように、吸湯ポンプ４５によって、前記風呂桶４１からくみ上げられた湯は、第１フィルタ４２、殺菌装置４３および炭粒を封止した第２フィルタ４４を通って浄化された後、給湯ホース３を介して前記第１カプラ３０に送られる。前記殺菌装置４３としては、たとえば、殺菌用の薬品を湯に混入する他に、強酸性水を生成するための電解水生成装置であってもよい。また、第２フィルタ４４として、炭を用いることにより、炭の持つ強い殺菌作用や浄化作用を利用することができる。
【００２３】
前記第１カプラ３０には、第１給湯経路１４が接続されており、該第１カプラ３０から第１給湯経路１４に至る第１給湯経路１Ａが形成されている。第１給湯経路１４は、一方の第１回動蓋１１ａ内に固定されている。第１給湯経路１４には、複数の第１ノズル１５が連通している。前記第１ノズル１５は第１回動蓋１１ａの内側に向って設けられており、図３に示す介護者Ｍの上側から湯が噴出される。
【００２４】
一方、図５の第１カプラ３０には、第２給湯管２４が接続されており、第１カプラ３０から第２給湯管２４に至る第２給湯経路２Ａが形成されている。前記第２給湯経路２Ａには減圧弁３８が設けられ、かつ、前記第２給湯経路２Ａは前記仰臥部２０の下を通るように配設されている。前記第２給湯管２４には、前記仰臥部２０の下方に設けられた前記第２ノズル２５が連通しており、仰臥部２０の下からも湯が噴出される。前記減圧弁３８により、第２ノズル２５からの噴出圧が前記第１ノズル１５からの噴出圧よりも小さな値になるように設定されている。
なお、第２ノズル２５の噴射位置は、仰臥部２０上に仰臥した被介護者Ｍの局部など汚れ易い部分を中心に設けるのが好ましい。また、前記吸湯ポンプ４５の出力を変化させることにより、前記第１ノズル１５や第２ノズル２５からの湯の噴出圧を調整することが可能である。吸湯ポンプ４５の出力調整用のスイッチは、介護者に近い装置本体１に設けるのが好ましい。
【００２５】
前記ノズル１５，２５から噴出された湯は、前記排出ポンプ４６によって排出ホース４から排出される。前記排出ホース４には、分岐弁４７が設けられている。分岐弁４７により、排出された湯を下水に排出するか、再度、風呂桶４１に戻すかを選択することができる。
【００２６】
図１（ｂ）の前記第１給湯経路１４の端部には、第２カプラ１６が設けられている。図３（ｂ）に示すように、前記第２カプラ１６の先端にシャワーヘッド２６を取り付け、該シャワーヘッド２６から湯を噴出させることが可能である。
【００２７】
第１カプラ３０：
図６に示すように、前記第１カプラ３０は、固定部３５と、該固定部３５に対して回動自在に設けられた回動部３６を備えている。
前記固定部３５は、前記受槽１３に固定されている。前記固定部３５の端部、すなわち、第１カプラ３０における受槽１３の外側の外部接続端３３には、給湯ホース３が接続されている。
前記回動部３６の端部、すなわち、第１カプラ３０における受槽１３の内側の内部接続端３４には、前記第１給湯経路１４が接続されている。回動部３６には一方の第１回動蓋１１ａが固定されている。したがって、第１回動蓋１１ａが受槽１３に対して回動すると、当該第１回動蓋１１ａの回動に連動して回動部３６が回動する。
なお、他方の第１回動蓋１１ｂは、前記回動部３６に対して回動自在に設けられている。
【００２８】
前記固定部３５および回動部３６は開閉弁３７を形成している。図１（ｂ）に示すように、第１回動蓋１１ａが閉じている場合には、図６（ａ）に示すように、給湯ホース３からの湯が固定部３５および回動部３６を通り、第１給湯経路１Ａに対して給湯が可能となる。一方、図１（ａ）に示すように、第１回動蓋１１ａを開くと、図６（ｂ）に示すように、回動部３６が回転し、第１給湯経路１Ａが閉止されて給湯が停止される。したがって、第１回動蓋１１ａの開閉に、第１給湯経路１Ａの湯の停止と供給が連動している。
【００２９】
前記固定部３５の下部には、前記第２給湯管２４が接続されている。前記給湯ホース３からの湯は、固定部３５内において分岐され、前記第２給湯経路２Ａにも供給される。したがって、第１回動蓋１１ａの開閉に関係なく、第２給湯経路２Ａには湯が供給される。
このように、第１回動蓋１１の回転中心に第１カプラ３０を設け、該第１カプラ３０から給湯を行うようにしたので、給湯経路１Ａ，２Ａの取りまわしをシンプルに行うことができる。
【００３０】
なお、脚部２１の下端部には、図示しないキャスタを設けてもよく、そうすれば、灌注浴装置１を押して移動させることが可能である。
また、脚部２１には、図示しない高さ調整具が設けられており、仰臥部２０の高さ位置を変更することができる。
【００３１】
入浴方法：
まず、図７（ａ）に示すように、風呂を適温になるまで沸かした後、該風呂桶４１内に給湯ホース３および排出ホース４を入れる。つぎに、ベッドＢに横付けした灌注浴装置１の前記回動蓋１１，１２を開き、図１の全開状態にする。その後、ベッドＢ上の被介護者Ｍを灌注浴装置１の仰臥部２０上に移載する。ここで、図１（ａ）に示すように、前記回動蓋１１，１２を全開状態にすることにより、被介護者Ｍを仰臥部２０の上方から移載する。
【００３２】
介護者が所定の操作を行い、前記吸湯ポンプ４５を始動させると、図３（ａ）に示すように、湯が前記第２ノズル２５から噴射される。ここで、図６（ｂ）に示すように、前記回動蓋１１ａが開いており、前記開閉弁３７が閉止されている。そのため、第１給湯経路１Ａには湯が送られず、固定部３５から減圧弁３８を介して第２給湯経路２Ａにのみ湯が送られる。したがって、前記仰臥部２０の下方からのみ湯が噴射されるので、装置外部への湯の飛散を防止することができる。また、減圧弁３８により、第２ノズル２５からの湯の噴出量が少なく規制されるので、回動蓋１１，１２を開いた状態であっても、湯の飛散を防止することができる。
介護者は、仰臥部２０の下から噴射される湯で、被介護者Ｍの局部などを洗う。
【００３３】
その後、図２に示すように、第１回動蓋１１ａ，１１ｂを回転させて、半閉状態に設定する。なお、介護者は、前記固定具１７を用いて、前記第１回動蓋１１を前記半開状態に固定する。
図６（ａ）に示すように、前記第１回動蓋１１を回転させると、一方の第１回動蓋１１ａの回転に伴い前記回動部３６が回転される。該回転により、開閉弁３７が開き前記第２給湯経路２Ａと共に、第１給湯経路１Ａにも湯が供給される。
したがって、図３（ｂ）に示すように、上方の前記第１ノズル１５からも湯が噴射され、被介護者Ｍの上下から湯が噴射される。
一方、介護者は、前記第２カプラ１６に前記シャワーヘッド２６を取り付け、該シャワーヘッド２６を用いて被介護者Ｍの頭部をシャンプーする。前記シャンプー中にも被介護者Ｍの上下から湯が噴射されるので、被介護者Ｍの体温の低下を抑えることができる。
【００３４】
その後、シャワーヘッド２６を取り外し、図３（ｃ）に示すように、前記第２回動蓋１２を回転させて、全閉状態に設定する。前記ノズル１５，２５から被介護者Ｍに湯が噴射される。
なお、必要に応じて、図１（ｂ）の前記窓１９を開いて被介護者Ｍに話かけたり、被介護者Ｍの体を洗う。また、必要に応じて、前記分岐弁４７を操作し、排出された湯を再度、風呂桶４１に戻して循環させてもよい。
その後、吸湯ポンプ４５を停止させ、回動蓋１１，１２を開いて全開状態に設定し、被介護者Ｍの体を拭いてベッドＢに移載する。
なお、介護者は、必要に応じて吸湯ポンプ４５の出力を調整し、第１ノズル１５や第２ノズル２５からの湯の噴出圧を調整する。
【００３５】
清掃方法：
本装置１を清掃するには、以下に述べるように、２回に分けて清掃する。まず、図８（ａ）に示すように、一方の回動蓋１１ｂ，１２を回転させて閉じ、当該回転させた回動蓋１１ｂ，１２の内側や、受槽１３の内側を清掃する。その後、当該回転させた回動蓋１１ｂ，１２を開き、他方の回動蓋１１ａ，１２を回転させて閉じ、回動蓋１１ａ，１２の内側や、受槽１３の内側を清掃する。
【００３６】
ところで、図７（ｂ）に示すように、家庭においては、ベッドＢの設置場所が部屋によって規制される場合が多い。また、図７（ｃ）に示すように、病院の病室においても、ベッドＢの設置場所が規制される。本装置１は、回動蓋１１，１２が受槽１３の内側に収納されるから、仰臥部２０の左右どちらからでも被介護者Ｍを移載することができる。したがって、ベッドＢの設置場所に拘わらず灌注浴装置１をベッドＢに横付けして用いることができる。
【００３７】
なお、前記実施形態では、回動蓋として、長手方向Ｙに対して分割された第１および第２回動蓋１１，１２を用いたが、図２（ｂ）に示すように、長手方向Ｙに対して分割されていない左右一対の回転蓋１１Ａを用いてもよい。前記回転蓋１１Ａは、被介護者Ｍの頭部部分に対応する側部が切除されている。
【図面の簡単な説明】
【図１】本発明の一実施形態にかかる灌注浴装置の全開状態および全閉状態を示す概略斜視図である。
【図２】同灌注浴装置の半閉状態を示す概略斜視図である。
【図３】入浴方法を示す灌注浴装置の側面断面図である。
【図４】灌注浴装置の正面断面図である。
【図５】給湯経路を示す経路図である。
【図６】第１カプラを示す断面図である。
【図７】灌注浴装置の配置を示す平面断面図である。
【図８】清掃方法を示す灌注浴装置の平面断面図である。
【図９】従来のシャワーバスを示す概略斜視図である。
【符号の説明】
１Ａ：第１給湯経路
３：給湯ホース
１１，１１ａ，１１ｂ：第１回動蓋
１２：第２回動蓋
１３：受槽
１４：第１給湯経路
１５：第１ノズル
１６：第２カプラ
２０：仰臥部
２１：脚部
２４：第２給湯管
２５：第２ノズル
２Ａ：第２給湯経路
３０：第１カプラ
３３：外部接続端
３４：内部接続端
３７：開閉弁
３８：減圧弁
Ｓ：シャワー室
Ｙ：長手方向
【図１】
2004097585.tif 000003
【図２】
2004097585.tif 000004
【図３】
2004097585.tif 000005
【図４】
2004097585.tif 000006
【図５】
2004097585.tif 000007
【図６】
2004097585.tif 000008
【図７】
2004097585.tif 000009
【図８】
2004097585.tif 000010
【図９】
2004097585.tif 000011
【手続補正書】
【提出日】平成15年7月18日(2003.7.18)
【手続補正１】
【補正対象書類名】明細書
【補正対象項目名】特許請求の範囲
【補正方法】変更
【補正の内容】
【特許請求の範囲】
【請求項１】
水が上下に通過する多数の孔を有し、かつ、仰臥した人を支持する仰臥部と、前記仰臥部を収納するシャワー室と、前記仰臥部上の人に向って湯を噴出する複数のノズルとを備え、
前記シャワー室が、水を受ける受槽と、該受槽に対し回動する回動蓋とで形成された灌注浴装置において、
前記回動蓋を開いた際に、前記仰臥部の上面の全面が天に向って露出すると共に、
前記回動蓋の回動中心の軸線が前記仰臥部の長手方向の中心に沿って設定されていることで、当該回動蓋が前記仰臥部の下方に潜り込むように回転して、前記回動蓋が開いた状態になり、
前記回動蓋の内側に設けられ、前記仰臥部の上から湯を噴出する複数の第１ノズルと、該第１ノズルに連通する第１給湯経路と、
前記仰臥部の下方に設けられ、前記仰臥部の下から湯を噴出する複数の第２ノズルと、該第２ノズルに連通する第２給湯経路とを備え、
前記第１給湯経路には、当該第１給湯経路を開閉する開閉弁が設けられ、
前記回動蓋のうちの少なくとも一方の回動蓋の回動により、前記開閉弁が開閉し、
前記回動蓋を閉じると前記開閉弁が開いて前記第１給湯経路への給湯が可能となり、前記回動蓋を開くと前記開閉弁が閉じて前記第１給湯経路への給湯が停止し、
一方、前記回動蓋の開閉に関係なく前記第２給湯経路には湯が供給される灌注浴装置。
【請求項２】
請求項１において、
前記第２給湯経路には減圧弁が設けられ、前記第２ノズルからの噴出圧が前記第１ノズルからの噴出圧よりも小さな値に設定されている灌注浴装置。
【請求項３】
請求項１もしくは２において、
前記回動蓋が開く際に、前記回動蓋が前記仰臥部の下方に潜り込むと共に、前記回動蓋が受槽の内側に沿って当該受槽の内側に収納されるように入り込み、
前記回動蓋が前記仰臥部の長手方向に対し左右に分割して設けられ、該分割された回動蓋の各々が受槽に対し回動可能であり、
前記回動蓋の回動中心にカプラが設けられ、
前記カプラにおける受槽の外側の外部接続端には、給湯ホースが接続可能であり、
前記カプラにおける受槽の内側の内部接続端には、前記第１給湯管が、前記回動中心の軸線のまわりに回転自在に接続され、
前記受槽を支持すると共に、前記受槽を貫通して受槽の内側に突出する脚部を設け、
前記脚部の上端に前記仰臥部が取り外し可能に載置されている灌注浴装置。
【請求項４】
請求項３において、
前記受槽の排出孔に排出ホースが接続されており、
前記排出ホースに排出ポンプが接続され、前記受槽内に流れ込んだ湯を前記排出ポンプにより前記排出ホースから強制的に排出する灌注浴装置。
【手続補正２】
【補正対象書類名】明細書
【補正対象項目名】０００６
【補正方法】変更
【補正の内容】
【０００６】
【課題を解決するための手段】
前記目的を達成するために、本発明の灌注浴装置は、水が上下に通過する多数の孔を有し、かつ、仰臥した人を支持する仰臥部と、前記仰臥部を収納するシャワー室と、前記仰臥部上の人に向って湯を噴出する複数のノズルとを備え、前記シャワー室が、水を受ける受槽と、該受槽に対し回動する回動蓋とで形成された灌注浴装置において、前記回動蓋を開いた際に、前記仰臥部の上面の全面が天に向って露出すると共に、前記回動蓋の回動中心の軸線が前記仰臥部の長手方向の中心に沿って設定されていることで、当該回動蓋が前記仰臥部の下方に潜り込むように回転して、前記回動蓋が開いた状態になり、前記回動蓋の内側に設けられて前記仰臥部の上から湯を噴出する複数の第１ノズルに連通する第１給湯経路と、前記仰臥部の下方に設けられて前記仰臥部の下から湯を噴出する複数の第２ノズルに連通する第２給湯経路とを備え、前記第１給湯経路には、当該第１給湯経路を開閉する開閉弁が設けられ、前記回動蓋のうちの少なくとも一方の回動蓋の回動により、前記開閉弁が開閉し、前記回動蓋を閉じると前記開閉弁が開いて前記第１給湯経路への給湯が可能となり、前記回動蓋を開くと前記開閉弁が閉じて前記第１給湯経路への給湯が停止し、一方、前記回動蓋の開閉に関係なく前記第２給湯経路には湯が供給される。
【手続補正３】
【補正対象書類名】明細書
【補正対象項目名】００１１
【補正方法】変更
【補正の内容】
【００１１】
また、前記第１カプラから前記第１給湯管に至る第１給湯経路に、当該第１給湯経路を開閉する開閉弁を設ける。前記回動蓋のうちの少なくとも一方の回動蓋の回動により、前記開閉弁が開閉する。前記回動蓋を閉じると前記開閉弁が開いて給湯が可能となり、前記回動蓋を開くと前記開閉弁が閉じて前記第１給湯経路への給湯が停止する。
したがって、回動蓋が開いた時には、シャワーが出ないので、装置外部への湯の飛散を防止することができる。


【手続補正４】
【補正対象書類名】明細書
【補正対象項目名】００１２
【補正方法】変更
【補正の内容】
【００１２】
また、前記第１カプラに前記第１給湯経路とは別の第２の給湯経路を構成する第２の給湯管を接続する。前記第２給湯経路には減圧弁を設けてもよい。前記第２給湯経路は前記仰臥部の下を通るように配設する。前記第２給湯経路が、前記仰臥部の下方に設けられた複数の第２ノズルに連通して、仰臥部の下からも湯を噴出する。
減圧弁により湯の噴出量を少なくすれば、回動蓋を開いた状態で湯を噴出させても湯が飛散しない。そのため、回動蓋を開いて仰臥部の下からシャワーを出した状態で、介助者が入浴者の局部等を洗うことができる。


【手続補正５】
【補正対象書類名】明細書
【補正対象項目名】００１３
【補正方法】削除
【補正の内容】
【手続補正６】
【補正対象書類名】明細書
【補正対象項目名】００１９
【補正方法】変更
【補正の内容】
【００１９】
仰臥部２０：
図４（ａ），（ｂ）に示すように、前記受槽１３には、下方から受槽１３を貫通し、該受槽１３の内側に突出する脚部２１が設けられている。受槽１３は脚部２１に固定されており、脚部２１と受槽１３との接合部には、シールが施されている。前記仰臥部２０は脚部２１の上端に載置されている。したがって、受槽１３には仰臥部２０の重量が負荷されないので、受槽１３の軽量化およびコストダウンを図り得る。
前記仰臥部２０には、湯が上下に通過する多数の孔が設けられている。仰臥部２０には、たとえば、パンチングメタルや金属ないし樹脂性の網等を採用することができる。仰臥部２０は、上方に持ち上げることで、図８に示すように、脚部２１から取り外すことが可能である。


【手続補正７】
【補正対象書類名】明細書
【補正対象項目名】００２３
【補正方法】変更
【補正の内容】
【００２３】
前記第１カプラ３０には、第１給湯管１４が接続されており、該第１カプラ３０から第１給湯管１４に至る第１給湯経路１Ａが形成されている。第１給湯管１４は、一方の第１回動蓋１１ａ内に固定されている。第１給湯管１４には、複数の第１ノズル１５が連通している。前記第１ノズル１５は第１回動蓋１１ａの内側に向って設けられており、図３に示す被介護者Ｍの上側から湯が噴出される。


【手続補正８】
【補正対象書類名】明細書
【補正対象項目名】符号の説明
【補正方法】変更
【補正の内容】
【符号の説明】
１Ａ：第１給湯経路
３：給湯ホース
１１，１１ａ，１１ｂ：第１回動蓋
１２：第２回動蓋
１３：受槽
１４：第１給湯管
１５：第１ノズル
１６：第２カプラ
２０：仰臥部
２１：脚部
２４：第２給湯管
２５：第２ノズル
２Ａ：第２給湯経路
３０：第１カプラ
３３：外部接続端
３４：内部接続端
３７：開閉弁
３８：減圧弁
Ｓ：シャワー室
Ｙ：長手方向




【手続補正書】
【提出日】平成15年10月23日(2003.10.23)
【手続補正１】
【補正対象書類名】明細書
【補正対象項目名】特許請求の範囲
【補正方法】変更
【補正の内容】
【特許請求の範囲】
【請求項１】
水が上下に通過する多数の孔を有し、かつ、仰臥した人を支持する仰臥部と、前記仰臥部を収納するシャワー室と、前記仰臥部上の人に向って湯を噴出する複数のノズルとを備え、
前記シャワー室が、水を受ける受槽と、該受槽に対し回動する回動蓋とで形成された灌注浴装置において、
前記受槽を支持すると共に、前記受槽を貫通して受槽の内側に突出する脚部を設け、
前記脚部の上端に前記仰臥部が取り外し可能に載置され、
前記回動蓋を開いた際に、前記仰臥部の上面の全面が天に向って露出すると共に、前記回動蓋の回動中心の軸線が前記仰臥部の長手方向の中心に沿って設定されていることで、当該回動蓋が前記仰臥部の下方に潜り込むように回転して、前記回動蓋が開いた状態になり、
前記回動蓋が開く際に、前記回動蓋が前記仰臥部の下方に潜り込むと共に、前記回動蓋が受槽の内側に沿って当該受槽の内側に収納されるように入り込み、
前記回動蓋が前記仰臥部の長手方向に対し左右に分割して設けられ、該分割された回動蓋の各々が受槽に対し回動可能であり、
前記回動蓋の回動中心に設けられたカプラと、
前記回動蓋の内側に設けられ、前記仰臥部の上から湯を噴出する複数の第１ノズルと、該第１ノズルに連通する第１給湯経路と、
前記仰臥部の下方に設けられ、前記仰臥部の下から湯を噴出する複数の第２ノズルと、該第２ノズルに連通する第２給湯経路とを備え、
前記カプラにおける受槽の外側の外部接続端には、給湯ホースが接続可能であり、
前記カプラにおける受槽の内側の内部接続端には、前記第１給湯経路が、前記回動中心の軸線のまわりに回転自在に接続され、
前記第１給湯経路には、当該第１給湯経路を開閉する開閉弁が設けられ、前記回動蓋のうちの少なくとも一方の回動蓋の回動により、前記開閉弁が開閉し、
前記回動蓋を閉じると前記開閉弁が開いて前記第１給湯経路への給湯が可能となり、前記回動蓋を開くと前記開閉弁が閉じて前記第１給湯経路への給湯が停止し、
一方、前記第２給湯経路には減圧弁が設けられ、前記仰臥部の下から湯を噴出する第２ノズルからの噴出圧が前記仰臥部の上から湯を噴出する第１ノズルからの噴出圧よりも小さな値に設定され、前記回動蓋の開閉に関係なく前記第２給湯経路には湯が供給され、
前記受槽の排出孔に排出ホースが接続されており、
前記排出ホースに排出ポンプが接続され、前記受槽内に流れ込んだ湯を前記排出ポンプにより前記排出ホースから強制的に排出する灌注浴装置。